(57)【要約】      （修正有）【課題】ろ板の反力を受けるストッパーとレールとの係合を容易に解除することのできるフィルタープレスの開板方法を提供する。【解決手段】ろ板４…の端部のストッパー５をろ板側に移動させて摺動自在に並列したろ板…を閉板し、ストッパーをレール３に係合させ、締付装置１１を伸長してろ板…とストッパーとの間に配設したムーバブルヘッド６を押圧した状態で原液を圧入供給し、その後、締付装置を収縮してムーバブルヘッドの後退を阻止する係合を利用してストッパーを閉板側に移動させ、締付装置を伸長してムーバブルヘッドを閉板側に移動して、ストッパーおよびムーバブルヘッドの係合部を離間した状態でロック１５，２０を収納するもので、ロックの解除時に係合装置の損傷がなく容易に解除できる。【選択図】図９
2014108415.tif 000002
【特許請求の範囲】
【請求項１】
ろ板（４…）を開閉板するストッパー（５，３１）をろ板（４…）の両側に配設し、ろ板（４…）の一端あるいは両端に並設するムーバブルヘッド（６）とストッパー（５）に搭載する締付装置（１１）を連結し、閉板後、ろ板（４…）を押圧した状態でストッパー（５，３１）をレール（３）に係合して脱水処理を行うフィルタープレスにおいて、
ストッパー（５，３１）とムーバブルヘッド（６）にレール（３）と係合して後退を阻止するロック（１５，３２，２０）を設け、
脱水終了後、ムーバブルヘッド（６）をレール（３）に係合し、
締付装置（１１）を収縮してストッパー（５，３１）をろ板（４…）側へ移動した後、
締付装置（１１）を伸長してムーバブルヘッド（６）をろ板（４…）側へ移動させ、
ストッパー（５，３１）およびムーバブルヘッド（６）とレール（３）との係合部を離間した状態でロック（１５，３２，２０）を解除してろ板（４…）の開板を開始する
ことを特徴とするフィルタープレスの開板方法。
【請求項２】
前記ストッパー（５）の両肩に揺動自在にロック（１５）を垂下し、ストッパー（５）の背面に枢着した電動シリンダ（１６）のピストンロッド（１７）をロック（１５）に連結させて係合装置を構成し、ロック（１５）をストッパー（５）の側面へ回動させて、レール（３）に止着したレールブロック（１８）にロック（１５）を係合した状態で、締付装置（１１）を伸長してムーバブルヘッド（６）を押圧して脱水する
ことを特徴とする請求項１に記載のフィルタープレスの開板方法。
【請求項３】
前記ムーバブルヘッド（６）の両肩に揺動自在にロック（２０）を垂下し、ムーバブルヘッド（６）の背面に枢着した電動シリンダ（２１）のピストンロッド（２２）をロック（２０）に連結させて係合装置を構成し、ロック（２０）をムーバブルヘッド（６）の側面へ回動させて、レール（３）に止着したレールブロック（２３）にロック（２０）を係合した状態で、締付装置（１１）を収縮してストッパー（５）を前進させてロック（１５）をレールブロック（１８）と離間する
ことを特徴とする請求項１または２に記載のフィルタープレスの開板方法。
【請求項４】
前記ロック（１５，２０，３２）と係合するそれぞれのレールブロック（１８，２３，３３）を、レール（３）に固定するケース（４１）と、ケース（４１）の上方あるいは下方からケース（４１）の内部へ挿通する調整ボルト（４２）と、ケース（４１）の内部で調整ボルト（４２）に螺着されたろ板（４）側に傾斜面を有する内部ブロック（４３）と、内部ブロック（４３）の傾斜面と接触してケース（４１）の外部に一部を突出している外部ブロック（４４）で可動レールブロック（４０）を構成し、調整ボルト（４２）の螺着量により内部ブロック（４３）を上下動させて外部ブロック（４４）の突出長を調整し、ロック（１５，２０，３２）との係合位置を開閉板方向に調整可能とした
ことを特徴とする請求項１から３の何れか１項に記載のフィルタープレスの開板方法。
【発明の詳細な説明】
【技術分野】
【０００１】
本発明は、脱水工程後にろ板を開板する方法であって、脱水後、ストッパーを閉板方向に移動させた後にろ板からの反力を受ける装置を解除してろ板の開板を開始するフィルタープレスの開板方法に関する。
【背景技術】
【０００２】
多室大型のフィルタープレスにおいて、ろ板群を支架したレールに沿って駆動チェーンを張設し、駆動チェーンに連結したストッパーをろ板方向に移動させてろ板群を順次押圧し、ストッパーをレールに係合して後退を阻止した後、ストッパーに搭載した締付装置にてろ板群を増し締めする閉板方法は公知である。
【０００３】
特許文献１に記載の締付方法は、ストッパーのスクリューネジでろ板群を増し締めした後、ムーバブルヘッドをレールに係合して後退を阻止し、ストッパーの係合を解除した後、プレス板にてろ板群を増し締めし、圧入圧搾を開始するフィルタープレスの締付方法が開示されている。ろ板群の反力（背圧）は、全てムーバブルヘッドを介してフィルタープレス本体で受けるものである。
【先行技術文献】
【特許文献】
【０００４】
【特許文献１】特許第３５３９３１０号公報
【発明の概要】
【発明が解決しようとする課題】
【０００５】
特許文献１に開示されているフィルタープレスの締付方法は、ろ板群を閉板後にムーバブルヘッドをレールに係合し、ろ板群の対向位置のプレス板でろ板群を閉板側から締め付けるものである。圧搾脱水後はプレス板による締付を解除した後、ムーバブルヘッドとレールの係合を解除する。ムーバブルヘッドに設けたロックをレール側に回動させて、レールに凸設したレールブロックと係合させることでムーバブルヘッドの後退を阻止しているので、発明の詳細な説明に記載はないが、ロックの解除時はレールブロックとの係合面を摺接させながらロックを解除することになる。したがって、係合面の摩耗あるいは摩擦熱による焼き付き等が発生する可能性がある。
【０００６】
本発明は、ろ板を締め付けるストッパーをレールと係合し、ろ板からの脱水時の反力をフィルタープレス本体で受けるフィルタープレスについて、脱水終了後にストッパーとレールとの係合部を離間させた後、ストッパーの係合装置を解除してろ板を開板するフィルタープレスの開板方法を提供する。
【課題を解決するための手段】
【０００７】
本発明に係るフィルタープレスの開板方法は、ろ板を開閉板するストッパーをろ板の両側に配設し、ろ板の一端あるいは両端に並設するムーバブルヘッドとストッパーに搭載する締付装置を連結し、閉板後、ろ板を押圧した状態でストッパーをレールに係合して脱水処理を行うフィルタープレスにおいて、ストッパーとムーバブルヘッドにレールと係合して後退を阻止するロックを設け、脱水終了後、ムーバブルヘッドをレールに係合し、締付装置を収縮してストッパーをろ板側へ移動した後、締付装置を伸長してムーバブルヘッドをろ板側へ移動させ、ストッパーおよびムーバブルヘッドとレールとの係合部を離間した状態でロックを解除してろ板の開板を開始するもので、ロックの解除時に係合装置の係合面を摺動させることがないので、部品の損傷がなく長寿命化が図れる。また、ストッパーのロック解除時の脱水ケーキが付着したろ板の移動に、ストッパーに搭載した締付装置を使用するので、ろ板を移動させる駆動機の容量を小容量とすることができる。
【０００８】
また、締付装置台の両肩に揺動自在にロックを垂下し、締付装置台の背面に枢着した電動シリンダのピストンロッドをロックに連結させて係合装置を構成し、ロックを締付装置台の側面へ回動させて、レールに止着したレールブロックにロックを係合した状態で、締付装置を伸長してムーバブルヘッドを押圧して脱水し、ムーバブルヘッドの両肩に揺動自在にロックを垂下し、ムーバブルヘッドの背面に枢着した電動シリンダのピストンロッドをロックに連結させて係合装置を構成し、ロックをムーバブルヘッドの側面へ回動させて、レールに止着したレールブロックにロックを係合した状態で、締付装置を収縮して締付装置台を前進させてロックをレールブロックと離間させるので、締付装置およびムーバブルヘッドの後退を阻止するロックを未使用時に内部に収納できる。
【０００９】
さらに、ロックと係合するそれぞれのレールブロックを、レールに固定するケースと、ケースの上方あるいは下方からケースの内部へ挿通する調整ボルトと、ケースの内部で調整ボルト）に螺着されたろ板側に傾斜面を有する内部ブロックと、内部ブロックの傾斜面と接触してケースの外部に一部を突出している外部ブロックで可動レールブロックを構成し、調整ボルトの螺着量により内部ブロックを上下動させて外部ブロックの突出長を調整し、ロックとの係合位置を開閉板方向に調整可能とすると、増し締め後のムーバブルヘッドの停止位置に応じてレールブロックを前後に調整できるので、ろ過室の増減に対応できる。
【発明の効果】
【００１０】
本発明に係るフィルタープレスの開板方法は、脱水時のろ板からの反力をろ板列とレールとの係合によって受けるフィルタープレスにおいて、脱水後の係合部材の解除を容易に行うことができるものである。
具体的には、ろ板をストッパーで押圧閉板した後、ろ板の後退を阻止するためのストッパーとレールを係合する係合装置について、ストッパーを閉板方向へ移動してストッパーとレールの係合面を離間させた後、係合装置を解除する。脱水ケーキを有するろ板は重量物であり、ストッパーを閉板方向へ移動させる際、搭載している締付装置を利用するので、駆動チェーンを駆動する駆動機の容量を削減できる。ロックの解除時に係合装置の係合面を摺動させることがないので、小動力でロックを解除でき、部品の損傷がなく長寿命化が図れるものである。ストッパーをフィルタープレス本体（レール）に機械的に係合させるので、特別な抗力を必要としない。
【図面の簡単な説明】
【００１１】
【図１】この発明に係るフィルタープレスの概略側面図である。
【図２】同じく、締付装置の要部拡大平面図である。
【図３】同じく、係合装置を配設したストッパーの背面図である。
【図４】同じく、係合装置を配設したストッパーの平面図である。
【図５】同じく、係合装置を配設したムーバブルヘッドの背面図である。
【図６】同じく、可動式レールブロックの詳細図である。
【図７】同じく、（ａ）閉板直後、（ｂ）ストッパーのロックを作動した状態の要部平面図である。
【図８】同じく、（ａ）脱水時、（ｂ）ムーバブルヘッドのロックを作動した状態の要部平面図である。
【図９】同じく、（ａ）ストッパーを前進した状態、（ｂ）ムーバブルヘッドを前進した状態の要部平面図である。
【図１０】同じく、ａ）ロックを解除した状態、（ｂ）締付装置を収縮した状態の要部平面図である。
【発明を実施するための形態】
【００１２】
この発明に係るフィルタープレスを図面に基づき詳述すると、まず、図１はフィルタープレスのろ板を閉板した状態を示す概略側面図である。フィルタープレス１は前後に立設したフレーム２，２間に橋架した一対のレール３，３上に多数のろ板４…を並列している。このろ板４…の両側にはストッパー５，３１を摺動自在に並列している。ろ板４と後方のストッパー５の間にはムーバブルヘッド６を併設し、このムーバブルヘッド６と対向するストッパー５に締付装置１１を搭載している。本実施例では図１の左側を前方、右側を後方としており、ムーバブルヘッド６は後方のみに配設している。
前後のフレーム２，２の上部に設けたスプロケット７にエンドレス状に掛け回した駆動チェーン８をレール３に沿って張設している。そして、駆動チェーン８の一端がそれぞれ前後のストッパー３１，５との適所に連結しており、一方のスプロケット７に連動連結した駆動機９で駆動チェーン８を回動させて、ストッパー３１，５がレール３上を移動して、ろ板４を開閉板させる。ストッパー３１，５は、それぞれろ板４…方向へは同時に対称移動する。
【００１３】
閉板時は、ストッパー３１，５がろ板４側に移動し、順次ろ板４…を閉板させる。閉板したろ板４…で形成したろ過室内に原液を供給し、ろ布（図示せず）で固液分離を行う。
開板時は、ストッパー３１，５がろ板４から離間する方向に移動する。各ろ板４…、ろ板４…とストッパー３１、およびろ板４…とムーバブルヘッド６をろ板連結具１０でルーズに連結しており、端部のろ板４を開板方向に移動させた時に、ろ板４…が順次開板してろ板４，４間に所定の間隔が開けられるようにしている。前方の開板は、ムーバブルヘッド６の締付装置１１が押着している背面に、締付装置１１の先端部を画設するように締付シリンダ連結具１２を設けて、ストッパー５の開板動作にムーバブルヘッド６およびろ板４…を連動させている。締付装置１１の先端部はフランジ状に拡開しており、駆動チェーン８でストッパー５を開板方向に移動すると、締付装置１１の先端部が締付シリンダ連結具１２に係合してムーバブルヘッド６を開板方向に移動させる。また、前方に配設したストッパー３１はストッパー５と駆動チェーン８で連結しているため、それぞれろ板４…方向へは同時に対称移動する。
脱水終了後、ろ布で固液分離された脱水ケーキは、ろ板４…を開板して下方へ排出する。
【００１４】
図２は締付装置の要部拡大平面図である。ムーバブルヘッド６に並列するストッパー５の背面には締付装置１１を搭載している。締付装置１１は伸縮自在な押圧装置、例えばシリンダ等により構成されており、押圧杆１３がストッパー５を貫通して、先端部をムーバブルヘッド６の背面に押着している。本実施例では、締付装置１１に電動シリンダを用いているが、油圧シリンダ、パンタグラフ等の周知の伸縮自在な締付装置を用いてもよい。
ストッパー５に載置している電動機１４を作動させると、締付装置１１のボールネジ（図示せず）が回転して押圧杆１３が伸縮する。押圧杆１３の突出長さを調整することで、ムーバブルヘッド６を介してろ板４…を前後に移動させる。
ストッパー５に搭載する締付装置１１は、ろ板４の大きさや数量に応じて、適宜、搭載数及び搭載位置を選択できる。
【００１５】
図３は係合装置を配設したストッパーの背面図である。
本発明のストッパーとは、ろ板４…の両端に位置して脱水時のろ板４…からの開板方向にかかる押圧力（反力）を受けて、対抗力によりろ板４…の閉板状態を維持させると共に、その力をフィルタープレス本体へと伝えるものである。
前後のストッパー３１，５に共通する部品は同一の番号を付している。係合装置はストッパー３１，５の両肩より揺動自在に垂下したロック１５と、このロック１５に連結してその後端をストッパー３１，５の背面に枢着した電動シリンダ１６とから構成している。ストッパー３１，５の両肩より角板状のロック１５が揺動自在に垂下してあり、ストッパー３１，５の背面に枢着した電動シリンダ１６のピストンロッド１７がロック１５の中間部に連結している。そして、ピストンロッド１７を伸縮させて、ロック１５をストッパー３１，５の側面への回動と、ストッパー３１，５の背面への後退とを電動シリンダ１６を作動させて行なうようにしている。なお、本実施例ではストッパー５にのみ締付装置１１を搭載している。
【００１６】
図４は係合装置を配設したストッパーの平面図である。ろ板４…を閉板したストッパー５，３１に対応する位置のレール３にレールブロック１８，３３を止着している。ストッパー５，３１の開板を阻止する場合は、図３の実線で示すように、ロック１５，３２をストッパー５，３１の側面へ回動させてレールブロック１８，３３の前面に挿入する。ロック１５，３２の後面とレールブロック１８，３３の前面が係合し、ストッパー５，３１の後退が阻止される。ストッパー５，３１を後退させるときは、図３の破線で示すように、ロック１５，３２をストッパー５，３１の背面へ回動させることで、ロック１５，３２とレールブロック１８，３３の係合を解除する。ここでいう係合の解除とは、ロック１５，３２をストッパー５，３１の背面に収納し、ストッパー５，３１を後退可能な状態にすることをいう。
ストッパー５，３１は同時に対称閉板するので、それぞれに対応するレール３にレールブロック１８，３３が配設している。また、ロック１５，３２はレール３側に突出してレールブロック１８，３３と係合するものであれば形状は限定しない。
【００１７】
図５は係合装置を配設したムーバブルヘッドの背面図である。本発明のムーバブルヘッドとは、閉板時には締付装置１１からの押圧をろ板に伝え、開板時には先導してろ板４…を引っ張って移動させる強度部材である。ムーバブルヘッドにろ過床を形成してろ板４…の一部としてもよい。
係合装置はストッパー５，３１と同様にムーバブルヘッド６の両肩より揺動自在に垂下したロック２０と、このロック２０に連結してその後端をムーバブルヘッド６の背面に枢着した電動シリンダ２１とから構成している。ピストンロッド２２を伸縮させて、ロック２０をムーバブルヘッド６の側面への回動と、ムーバブルヘッド６の背面への後退とを電動シリンダ２１を作動させて行なうようにしている。
締付装置１１によりろ板４…を増し締めした位置に対応するレール３にレールブロック２３が配設している。ロック２０を回動させてそれぞれレールブロック２３の前面に挿入する。ロック２０の後面とレールブロック２３の前面が係合し、ムーバブルヘッド６の後退を阻止する。ムーバブルヘッド６をレール３に沿って移動させるときは、図５の破線で示すように、ロック２０をムーバブルヘッド６の背面へ回動させることで、ロック２０とレールブロック２３の係合を解除する。ここでいう係合の解除とは、ロック２０をムーバブルヘッド６の背面に収納し、ムーバブルヘッド６を後退可能な状態にすることをいう。
ロック２０はレール３側に突出してレールブロック２３と係合するものであれば形状は限定しない。なお、本実施例ではろ板４…の後方にのみムーバブルヘッド６を配設しているが、前方のみあるいは両側にムーバブルヘッド６を配設してもよい。
【００１８】
本実施例では対向するレール３，３の内側にそれぞれ上下並列に２段のレールブロック１８，１８、３３，３３、２３，２３を止着している。止着方法はろ板４からの圧入・圧搾反力に抗するものであれば、溶接、螺着等の限定はしない。特にムーバブルヘッド６側のレールブロック２３の全体あるいは一部を取り換え可能とすれば、増し締め時のろ布、ダイアフラムの圧縮代の変動およびろ過室の増減に対応できる。また、レールブロック１８，３３，２３は、ろ板４からの圧入・圧搾反力に応じて、適宜、形状や設置数を選択できる。
【００１９】
図６は可動式レールブロックの詳細図であって、可動式レールブロック４０はレール３に止着するケース４１と、ケース４１の上方あるいは下方からケース４１の内部へ挿通する調整ボルト４２と、ケース４１の内部で調整ボルト４２に螺着された内部ブロック４３と、内部ブロック４３の傾斜面と接触してケース４１の外部に一部を突出している外部ブロック４４とから構成している。
調整ボルト４２を回転することによって、調整ボルト４２の先端の螺着量が増減し、内部ブロック４３が上下に移動する。閉板方向が開放されたケース４１の一辺から突出している外部ブロック４４と、ケース４１内部で上下に移動する内部ブロック４３はそれぞれの傾斜面で摺動自在に接触しており、内部ブロック４３の上下動に連動して外部ブロック４４は前後に移動する。調整ボルト４２はケース４１の一辺に公知の方法で摺動自在、前後進不能に挿入する。なお、符号４５は可動式レールブロック４０をレール３に取り付けるための取付孔である。
【００２０】
レールブロック１８、２３、３３をこのように構成すると、調整ボルト４２の螺着量を調節することにより、外部ブロック４４の突出長を調整でき、レールブロック１８、２３、３３の前面に挿入されるロック１５、２０、３２とレールブロック１８、２３、３３の後面との隙間を最小に抑えることができる。
【実施例】
【００２１】
次に、フィルタープレス１の開閉板方法を詳述する。閉板前のフィルタープレス１の状態として、ストッパー５，３１のロック１５，３２およびムーバブルヘッド６のロック２０は、図３、図５の二点鎖線で示すように、それぞれレールブロック１８，３３，２３に接触しない位置に収納されている。また、ストッパー５，３１とムーバブルヘッド６の間隔は、押圧杆１３が収縮しているため最接近した状態となっている。
なお、実施例は後方のストッパー５について記載しているが、駆動チェーン８でストッパー５と連結された、ろ板４…と対称に配設しているストッパー３１も同様に作動している。
【００２２】
（イ）
図７（ａ）に示すように、先ず、フィルタープレス１のろ板４…を閉板する。具体的には、駆動機９を駆動して駆動チェーン８を回動し、後方のストッパー５をろ板４側に移動させ、締付装置１１を介してムーバブルヘッド６を押圧してろ板４…を順次押圧する。この時、ストッパー５のロック１５およびムーバブルヘッド６のロック２０はレール３に配設しているレールブロック１８，２３よりろ板４側に位置している。この時、図示していないが、同様に前方のストッパー３１もろ板側に移動しており、ストッパー３１のロック３２もレールブロック３３よりろ板４側に位置している。
【００２３】
（ロ）
次に、図７（ｂ）に示すように、ストッパー５に配設した電動シリンダ１６を作動してロック１５をレール３側に回動させる。ロック１５はレールブロック１８の閉板側（前方）に位置しているので、ロック１５とレールブロック１８が干渉することなく、容易にロック１５をレール３まで回動できる。この時、図示していないが、同様に前方のストッパー３１のロック３２も作動させる。
【００２４】
（ハ）
そして、図８（ａ）に示すように、ストッパー５に搭載した締付装置１１を駆動して、押圧杆１３を伸長させる。ムーバブルヘッド６をろ板４…側に移動させると共に、ストッパー５はろ板４…と離間させる方向に移動し、ストッパー５のロック１５とレールブロック１８が当接する。ストッパー５のロック１５とレールブロック１８が係合した状態で、さらに締付装置１１を駆動すると、押圧杆１３が伸長してムーバブルヘッド６をろ板４の閉板側（前方）へ移動させる。ろ板４…はろ過室からの浸液を防止するのに十分な力で増し締めされて密着する。この時、ストッパー５とムーバブルヘッド６の間隔は、押圧杆１３が伸長しているため最離間した状態となっており、ムーバブルヘッド６のロック２０はレール３に配設しているレールブロック２３より閉板側（前方）に位置している。また、図示していないが、同様に前方のストッパー３１も後方のストッパー５と対称的な移動をしており、ストッパー３１のロック３２はレールブロック３３に係合している。
【００２５】
（ニ）
この状態で、ろ板４，４間に形成したろ過室内に原液を供給する。ろ過室のろ布で原液の固液分離を行うため、原液はろ過室へ圧入供給する。その際、ろ板４…を開板させる方向に力が発生する。ろ板４…からの反力はストッパー５，３１を介してレール３に配設したレールブロック１８，３３が受ける。
【００２６】
（ホ）
脱水終了後、開板動作に切り替わる。先ず、図８（ｂ）に示すように、ムーバブルヘッド６に配設した電動シリンダ２１を作動してロック２０をレール３側に回動させる。ロック２０はレールブロック２３の閉板側（前方）に位置しているので、ロック２０とレールブロック２３が干渉することなく、容易にロック２０をレール３まで回動できる。
【００２７】
（ヘ）
次に、図９（ａ）に示すように、ストッパー５に搭載している締付装置１１の押圧杆１３を収縮する。ストッパー５はムーバブルヘッド６より重く、また、駆動チェーン８の抵抗もあるため、まず、ムーバブルヘッド６が開板側（後方）に移動し、レール３に配設したレールブロック２３に当接する。ムーバブルヘッド６のロック２０とレールブロック２３が係合した状態で押圧杆１３を収縮し続けると、ムーバブルヘッド６の後退は阻止されているため、次に、ストッパー５，３１がそれぞれ閉板方向に移動を開始する。予め定めた移動量だけストッパー５，３１が移動したことを周知の技術で検知すると、締付装置１１の収縮動作を停止する。
【００２８】
（ト）
そして、図９（ｂ）に示すように、ストッパー５に搭載している締付装置１１の押圧杆１３を伸長する。ストッパー５はムーバブルヘッド６より重く、また、駆動チェーン８の抵抗（ブレーキ）もあるため、ムーバブルヘッド６が閉板側（前方）に移動し、当接しているロック２０とレールブロック２３が離間する。予め定めた移動量だけムーバブルヘッド６が前進したことを周知の技術で検知すると、締付装置１１の伸長動作を停止する。この時、ストッパー５，３１のロック１５，３２およびムーバブルヘッド６のロック２０は、それぞれレールブロック１８，３３，２３と離間した状態となっている。
【００２９】
（チ）
ロック１５，３２，２０とレールブロック１８，３３，２３とを離間させた後、図１０（ａ）に示すように、ストッパー５，３１の電動シリンダ１６およびムーバブルヘッド６の電動シリンダ２１を作動してロック１５，３２，２０を回動して解除する。この時、ロック１５，３２，２０はそれぞれレールブロック１８，３３，２３に接触しない位置に収納された状態となっている。
【００３０】
（リ）
ロック１５，３２，２０を解除すると、図１０（ｂ）に示すように、ストッパー５に搭載している締付装置１１の押圧杆１３を収縮して、ムーバブルヘッド６を開板側（後方）に移動させる。ムーバブルヘッド６がストッパー５に最接近したことを検知すると、締付装置１１の収縮を停止する。この時、（イ）と同様の状態となっている。
【００３１】
（ヌ）
その後、駆動チェーン８を作動してストッパー５，３１をそれぞれ開板方向に移動させる。押圧杆１３を介してムーバブルヘッド６を開板側（後方）に移動させてろ板４…を順次開板する。開板と同時にろ布に固着している脱水ケーキは、開板したろ布から順次剥離して下方へ落下する。
【００３２】
なお、本実施例はムーバブルヘッドをろ板の一端（後方）に配設したものであるが、ろ板の両端に配設してもよい。その場合、新規にムーバブルヘッドを配設した側（前方）のストッパーには締付装置を搭載し、図７から図１０に記載した動作について同時に対称的に行う。
【産業上の利用可能性】
【００３３】
本発明に係るフィルタープレスの開板方法は、ろ板の閉板後に開閉板方向に部材を挿入してろ板からの反力（背圧）をフィルタープレス本体で受ける装置において、部材間の係合状態を容易に解除するものである。解除時に係合装置の損傷がなく、ランニングコストにも寄与できる。
ロック機構を有する摺動自在な締付装置台によりろ板を開閉板するので、フィルタープレス全長が短縮でき、大きな据付面積を必要としない。また、更新時には、同様の据付面積にてろ過室の多室化が可能となる。特に、ろ板を両端に締付装置台を配設して、ろ板を前後から開閉するフィルタープレスに効果的に適用できる。
【符号の説明】
【００３４】
１  フィルタープレス
２  フレーム
３  レール
４  ろ板
５，３１  ストッパー
６  ムーバブルヘッド
１１  締付装置
１５，２０，３２  ロック
１６，２１  電動シリンダ
１７，２２  ピストンロッド
１８，２３，３３  レールブロック
４０  可動式レールブロック
４１  ケース
４２  調整ボルト
４３  内部ブロック
４４  外部ブロック
【図１】
2014108415.tif 000003
【図２】
2014108415.tif 000004
【図３】
2014108415.tif 000005
【図４】
2014108415.tif 000006
【図５】
2014108415.tif 000007
【図６】
2014108415.tif 000008
【図７】
2014108415.tif 000009
【図８】
2014108415.tif 000010
【図９】
2014108415.tif 000011
【図１０】
2014108415.tif 000012